(57)【要約】  窓が、第１窓ガラス及び第２窓ガラスと、第１窓ガラスと第２窓ガラスと前記フレームとの間で空隙を形成するように第１窓ガラス及び第２窓ガラスに結合されるフレームとを有する。窓は、電磁放射を電気に変換するように構成された、空隙内に配置された光起電性パネル等の発電機をさらに有する。窓は、空隙から熱を第１窓ガラス又は第２窓ガラスから離れる方向に換気するように構成された通気システムをさらに有する。同様な構成の窓ガラスを提供する。【選択図】図１Ａ
2015503074.tif 000002
【特許請求の範囲】
【請求項１】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換するように構成された発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射膜及び第２反射膜であって、前記第１面は前記空隙に対面し、前記第１反射膜及び第２反射膜は赤外線放射を前記空隙内へと反射して空隙内に加熱された空気を生成するように構成された第１反射膜及び第２反射膜、及び
前記第１窓ガラス及び第２窓ガラスの各第２面上に夫々配置される第１反射膜及び第２反射防止膜であって、前記第２面は前記空隙から見て外方に向き、可視光と赤外線放射を前記空隙内へと透過させるように構成された第１反射防止膜及び第２反射防止膜、を有することを特徴とする複数ガラス窓。
【請求項２】
前記第１反射膜及び第２反射膜上に夫々配置され、かつ可視光と赤外線放射を前記空隙内へと透過させるように構成された第３反射防止膜及び第４反射防止膜を更に有することを特徴とする請求項１に記載の複数ガラス窓。
【請求項３】
前記発電機は、１枚以上からなる１組の光起電性パネルを備えることを特徴とする請求項１に記載の複数ガラス窓。
【請求項４】
前記光起電性パネルはポリマーストリップであることを特徴とする請求項３に記載の複数ガラス窓。
【請求項５】
前記光起電性パネルが結合された１組のルーバーを更に有することを特徴とする請求項４に記載の複数ガラス窓。
【請求項６】
前記ポリマーストリップは、シートの形でリザーバから引き出され、ルーバーの長さに切断されることを特徴とする請求項５に記載の複数ガラス窓。
【請求項７】
前記ルーバーは、最適なエネルギ生成のために前記光起電性パネルに方向を合わせるべく回転するように構成されたことを特徴とする請求項５に記載の複数ガラス窓。
【請求項８】
前記空隙に対して第１開口部が前記フレームの上部に形成され、前記空隙に対して第２開口部が前記フレームの底部に形成されることを特徴とする請求項１に記載の複数ガラス窓。
【請求項９】
前記第１開口部は、前記第１窓ガラス及び第２窓ガラスの第１側部、及び第１窓ガラス及び第２窓ガラスの第２側部に対して開口するように構成され、前記第１側部と第２側部は互いに反対側であることを特徴とする請求項８に記載の複数ガラス窓。
【請求項１０】
前記第１開口部に配置された第１シャッタであって、該第１シャッタが開くことで前記空隙から前記第１側部へと延びる第１エアチャネルを開口させ、閉じることで第１エアチャンネルを閉じるように構成された第１シャッタ、及び
前記第１開口部に配置された第２シャッタであって、該第２シャッタが開くことで前記空隙から前記第２側部へと延びる第２エアチャネルを開口させ、閉じることで第２エアチャンネルを閉じるように構成された第２シャッタ、を更に有することを特徴とする請求項９に記載の複数ガラス窓。
【請求項１１】
前記第１シャッタ及び前記第２シャッタに結合され、かつある温度で前記第１シャッタ及び第２シャッタを開閉するサーモスタットを更に有することを特徴とする請求項１０に記載の複数ガラス窓。
【請求項１２】
１組のフィルタを更に有し、該フィルタは、前記空隙内及び／又は前記第１開口部と第２開口部内に配置されて前記空隙を介して移動する空気を濾過することを特徴とする請求項８に記載の複数ガラス窓。
【請求項１３】
第１開口部に隣接して配置されて前記第１開口部から空気を押し出すファンを更に有することを特徴とする請求項８に記載の複数ガラス窓。
【請求項１４】
前記ファンは、ファンに電力を供給するため発電機に電気的に結合されていることを特徴とする請求項１３に記載の複数ガラス窓。
【請求項１５】
前記第１反射膜及び第２反射膜は光起電性であり、第１反射防止膜及び第２反射防止膜は光起電性であることを特徴とする請求項１に記載の複数ガラス窓。
【請求項１６】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換する発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射防止膜及び第２反射防止膜であって、前記第１面は前記空隙に対面する第１反射防止膜及び第２反射防止膜、及び
前記第１窓ガラス及び第２窓ガラスの各第２面上に夫々配置される第３反射防止膜及び第４反射防止膜であって、前記第２面は前記空隙から見て外方に向き、前記第３反射防止膜及び第４反射防止膜は可視光と赤外線放射を前記空隙内へと透過させるように構成された第３反射防止膜及び第４反射防止膜を有することを特徴とする複数ガラス窓。
【請求項１７】
前記第３反射防止膜及び第４反射防止膜上に夫々配置され、かつ赤外線放射を前記空隙内へと反射させる第１反射膜及び第２反射膜を更に有することを特徴とする請求項１６に記載の複数ガラス窓。
【請求項１８】
前記発電機は１組の光起電性パネルを備えることを特徴とする請求項１６に記載の複数ガラス窓。
【請求項１９】
前記光起電性パネルはポリマーストリップであることを特徴とする請求項１８に記載の複数ガラス窓。
【請求項２０】
前記光起電性パネルが結合された１組のルーバーを更に有することを特徴とする請求項１９に記載の複数ガラス窓。
【請求項２１】
前記ポリマーストリップは、シートの形でリザーバから引き出され、ルーバーの長さに切断されることを特徴とする請求項２０に記載の複数ガラス窓。
【請求項２２】
前記ルーバーは、最適なエネルギ生成のために前記光起電性パネルに方向を合わせるように回転するように構成されたことを特徴とする請求項２０に記載の複数ガラス窓。
【請求項２３】
前記空隙に対して第１開口部が前記フレームの上部に形成され、前記空隙に対して第２開口部が前記フレームの底部に形成されることを特徴とする請求項１６に記載の複数ガラス窓。
【請求項２４】
前記第１開口部は、前記第１窓ガラス及び第２窓ガラスの第１側部、及び第１窓ガラス及び第２窓ガラスの第２側部に対して開口するように構成され、前記第１側部と第２側部は互いに反対側であることを特徴とする請求項２３に記載の複数ガラス窓。
【請求項２５】
前記第１開口部に配置された第１シャッタであって、開くことで前記空隙から前記第１側部へと延びる第１エアチャネルを開口させるように構成された第１シャッタ、及び
前記第１開口部に配置された第２シャッタであって、開くことで前記空隙から前記第２側部へと延びる第２エアチャネルを開口させるように構成された第２シャッタ、を更に有することを特徴とする請求項２４に記載の複数ガラス窓。
【請求項２６】
前記第１シャッタ及び前記第２シャッタに結合され、かつある温度で前記第１シャッタ及び第２シャッタを開閉するように構成されたサーモスタットを更に有することを特徴とする請求項２５に記載の複数ガラス窓。
【請求項２７】
１組のフィルタを更に有し、該フィルタは、前記空隙内及び／又は前記第１開口部内に配置されて前記空隙を介して移動する空気を濾過することを特徴とする請求項８に記載の複数ガラス窓。
【請求項２８】
第１開口部に隣接して配置され、かつ第１開口部から空気を押し出すように構成されたファンを更に有することを特徴とする請求項２３に記載の複数ガラス窓。
【請求項２９】
前記ファンは、ファンに電力を供給するため発電機に電気的に結合されていることを特徴とする請求項２８に記載の複数ガラス窓。
【請求項３０】
前記第１反射膜及び第２反射膜は光起電性であり、前記第１反射防止膜及び前記第２反射防止膜は光起電性であることを特徴とする請求項１６に記載の複数ガラス窓。
【請求項３１】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面上と前記構造基板の第１面に配置される第１反射膜及び第２反射膜であって、
前記各第１面は前記空隙に対面し、さらに
前記各反射膜は、赤外線放射を前記空隙内へと反射して空隙内に加熱された空気を生成するように構成された第１反射膜及び第２反射膜、及び
前記窓ガラスの第２面と前記第１反射膜の上に夫々配置される第１反射防止膜及び第２反射防止膜であって、前記第２面は前記空隙から見て外方に向き、前記第１反射防止膜及び第２反射防止膜は可視光と赤外線放射を前記空隙内へと透過させるような第１反射防止膜及び第２反射防止膜、を有することを特徴とする太陽光構造パネル。
【請求項３２】
複数ガラス窓を更に有することを特徴とする請求項３１に記載の太陽光構造パネル。
【請求項３３】
前記複数ガラス窓は前記窓ガラスと前記構造基板に一体形成されていることを特徴とする請求項３２に記載の太陽光構造パネル。
【請求項３４】
前記発電機は１組の光起電性パネルを備えることを特徴とする請求項３１に記載の太陽光構造パネル。
【請求項３５】
前記光起電性パネルはポリマーストリップであることを特徴とする請求項３４に記載の太陽光構造パネル。
【請求項３６】
前記光起電性パネルが結合された１組のルーバーを更に有することを特徴とする請求項３５に記載の太陽光構造パネル。
【請求項３７】
前記空隙から熱を前記第１窓ガラスから離れるか、前記第２窓ガラスから離れる方向に選択的に換気するように構成された通気システムを有することを特徴とする請求項３１に記載の太陽光構造パネル。
【請求項３８】
前記ポリマーストリップは、シートの形でリザーバから引き出され、ルーバーの長さに切断されることを特徴とする請求項３６に記載の太陽光構造パネル。
【請求項３９】
前記ルーバーは、最適なエネルギ生成のために前記光起電性パネルに方向を合わせるべく回転するように構成されたことを特徴とする請求項３６に記載の複数ガラス窓。
【請求項４０】
前記空隙から外に、又は空隙の中に暖かい空気を移動するように構成されたファンを更に有することを特徴とする請求項３１に記載の太陽光構造パネル。
【請求項４１】
水加熱装置を更に有し、該水加熱装置は、熱を前記水加熱装置内の水に集めるように構成されることを特徴とする請求項３１に記載の太陽光構造パネル。
【請求項４２】
前記水加熱装置は、前記太陽光構造パネルの外へと加熱された水を移動するように構成されることを特徴とする請求項４１に記載の太陽光構造パネル。
【請求項４３】
前記水加熱装置は、加熱された水を、前記太陽光構造パネルが装着されて使用されるビルディングの中に移動するように構成されることを特徴とする請求項４１に記載の太陽光構造パネル。
【請求項４４】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面と第２面の上に配置される第１反射防止膜及び第２反射防止膜であって、
前記第１面は前記空隙から見て外方を向き、
前記第２面は前記空隙に対面し、さらに
可視光と赤外線放射を前記空隙内へと透過させるように構成された第１反射防止膜及び第２反射防止膜、及び
前記第２反射防止膜と前記構造基板の第１面の上に夫々配置される第１反射膜及び第２反射膜であって、
前記構造基板の前記第１面は前記空隙に対面し、さらに
前記各反射膜は、赤外線放射を前記空隙内へと反射して空隙内で加熱された空気を生成するように構成された第１反射膜及び第２反射膜、を有することを特徴とする太陽光構造パネル。
【請求項４５】
複数ガラス窓を更に有することを特徴とする請求項４４に記載の太陽光構造パネル。
【請求項４６】
前記複数ガラス窓は前記窓ガラスと前記構造基板に一体形成されていることを特徴とする請求項４５に記載の太陽光構造パネル。
【請求項４７】
前記発電機は１組の１枚以上からなる光起電性パネルを備えることを特徴とする請求項４４に記載の太陽光構造パネル。
【請求項４８】
前記光起電性パネルはポリマーストリップであることを特徴とする請求項４７に記載の太陽光構造パネル。
【請求項４９】
前記光起電性パネルが結合された１組のルーバーを更に有することを特徴とする請求項４８に記載の太陽光構造パネル。
【請求項５０】
前記第１窓ガラスから離れるか前記第２窓ガラスから離れる方向に、前記空隙から熱を選択的に換気するように構成された通気システムを更に有することを特徴とする請求項４４に記載の太陽光構造パネル。
【請求項５１】
前記ポリマーストリップは、シートの形でリザーバから引き出され、ルーバーの長さに切断されることを特徴とする請求項５０に記載の太陽光構造パネル。
【請求項５２】
前記ルーバーは、最適なエネルギ生成のために前記光起電性パネルに方向を合わせるべく回転するように構成されたことを特徴とする請求項５０に記載の太陽光構造パネル。
【請求項５３】
前記空隙から脱して、又は空隙内に暖気を移動するように構成されたファンを更に有することを特徴とする請求項４４に記載の太陽光構造パネル。
【請求項５４】
水加熱装置内にある水に熱を集めるように構成された水加熱装置を更に有することを特徴とする請求項４４に記載の太陽光構造パネル。
【請求項５５】
前記水加熱装置は、前記太陽光構造パネルの外に加熱された水を移動するように構成されることを特徴とする請求項５４に記載の太陽光構造パネル。
【請求項５６】
前記水加熱装置は、加熱された水を、前記太陽光構造パネルが装着されて使用されるビルディングの中に移動するように構成されることを特徴とする請求項５４に記載の太陽光構造パネル。
【請求項５７】
請求項３１に記載の太陽光構造パネルを有するビルディング。
【請求項５８】
請求項４３に記載の太陽光構造パネルを有するビルディング。
【請求項５９】
光起電性素子を形成するための押出成形装置において、
液体光起電性材料を収容するために、その内部にリザーバを配置するハウジング、及び
光起電性シートを形成するために、それを介して前記液体光起電性材料が引き抜かれることになる開口部を形成する押出成形エレメント、を有することを特徴とする押出成形装置。
【請求項６０】
前記光起電性シートに接触して、該光起電性シートを１組の光起電性ストリップに切断するように構成された１組のカッターを更に有することを特徴とする請求項５９に記載の押出成形装置。
【請求項６１】
前記光起電性シートを形成するように構成された１組の成形装置を更に有することを特徴とする請求項５９に記載の押出成形装置。
【請求項６２】
前記１組の成形装置は、１組のローラ又は１組のナイフ刃を備えることを特徴とする請求項６１に記載の押出成形装置。
【請求項６３】
前記カッターの組の各カッターが、光起電性ストリップの幅を設定するために互いに対して移動されるように構成されることを特徴とする請求項６０に記載の押出成形装置。
【請求項６４】
光起電性素子を形成する押出成形装置において、
液体光起電性材料を収納するためにその中にリザーバ手段を配置するハウジング手段、
光起電性シートを形成するために、それを介して前記液体光起電性材料が引き抜かれることになる開口部を形成する押出手段、及び
前記光起電性シートに接触して、該光起電性シートを１組の光起電性ストリップに切断するように構成された１組のカッター手段、を有することを特徴とする押出成形装置。
【請求項６５】
前記光起電性シートを形成するように構成された１組の成形手段を更に有することを特徴とする請求項６４に記載の押出成形装置。
【発明の詳細な説明】
【技術分野】
【０００１】
本特許出願は、２００９年９月１８日に米国特許出願第１２／５６３，０５２号で出願され、２０１１年１１月１日に米国特許第８，０４６，９６０号で発行された「太陽光窓装置及び方法」（発明者はNarinder  Singh  Kapany）の一部継続出願であって、２０１０年３月１０日に「太陽光壁装置及び方法」（発明者はNarinder  Singh  Kapany）というタイトルで出願された米国特許出願第１２／７２０，９８２号の一部継続出願である。本明細書では、上述したこれら全ての出願の開示全体があらゆる目的のために参照することにより組み込まれる。
【０００２】
本発明は、一般的に窓や太陽光壁のための太陽光ビルディング装置及び方法に関する。さらに詳しくは、本発明は受けた電磁放射線を電気や熱に変換するように構成された太陽光窓と太陽光壁に関する。
【背景技術】
【０００３】
ビルディング用としての伝統的な窓は一般に、単一の窓ガラスを有している。これらの単一ガラス窓は、窓の内側と窓との間の断熱性は比較的低いレベルにある。単一ガラス窓が比較的低いレベルの断熱性を持つが故に、二重窓ガラス、三重ガラス窓が開発されてきており、それらは単一ガラス窓に比べて比較的高いレベルの断熱性を提供している。する、開発されている。ある特許文献には、２枚の窓ガラスを有する窓が記載されている（例えば、特許文献１〜３参照。）。
【０００４】
二重ガラス窓の開発に続いて、窓ガラス間に光起電性電池を備えた様々な二重ガラス窓が開発されている。これらの窓にある光起電性電池は、窓や光起電性電池を介することで視界が邪魔されないように窓から離れるようにして（例えばランプ点灯のため）使用電気を生成するように構成されている。ある特許文献では、発電のためにその内部に光起電性電池を配置する二重ガラス窓について論じられている（例えば、特許文献４及び５参照。）。
【０００５】
周知のように、二重ガラス窓は夫々の窓ガラス間に空隙を有しており、この中には加熱された空気が捕捉されることになる。例えば、仮に窓の内側の温度が望ましいとされる温度よりも低温である場合には、窓の内側に（例えば、ビルディングの室内に）空隙内の加熱空気を放出するといったような様々な二重ガラス窓が開発されている。これらの二重ガラス窓は又、往々にして、窓の内側から（例えば、ビルディングの部屋から）窓の外側に（例えば、ビルディングの外側空間に）加熱された空気を放出するように構成されている。例えば、仮に窓の内側が所望温度より暖かい場合は、熱は窓の内側から窓の外側へと放出される可能性がある。ある特許文献では、加熱された空気をビルディングの中に、あるいはビルディングの外に移すように構成された二重ガラス窓について記述されている（例えば、特許文献６及び７参照。）。
【０００６】
発電目的や加熱された空気の移動のために光を使用する二重ガラス窓が数多く開発されている一方で、窓の設計者及び製造業者は、発電や熱の移動等のために、受けた電磁放射の内、既知の窓に比較して比較的高いパーセンテージの電磁放射を発電に使用できる新しい窓の開発に努力を続けている。
【先行技術文献】
【特許文献】
【０００７】
【特許文献１】米国特許第３９３６１５７号明細書
【特許文献２】米国特許第４０７８５４８号明細書
【特許文献３】米国特許第３７９３９６１号明細書
【特許文献４】米国特許第４１３７０９８号明細書
【特許文献５】米国特許第４２６５２２２号明細書
【特許文献６】米国特許第４５７７６１９号明細書
【特許文献７】国際公開第２００８／０９５５０２号
【発明の概要】
【０００８】
本発明は、一般に、太陽光窓や太陽光壁のための構造及び方法に関するものである。更に具体的には、本発明は受け取った電磁放射を電気と熱に変換するように構成された太陽光窓や太陽光壁に関する。
【０００９】
本発明の一実施形態によれば、複数ガラス窓(multiple-pane window)は、互いに対向する第１窓ガラス及び第２窓ガラスと、前記第１窓ガラス及び第２窓ガラスに結合されるフレームであって前記第１窓ガラスと第２窓ガラスと前記フレームとの間で空隙を形成するフレームとを備える。複数ガラス窓は更に、前記空隙内に配置されて、電磁放射を電気に変換する発電機を備えている。複数ガラス窓は更に、前記空隙から熱を前記第１窓ガラスから離れるか、前記第２窓ガラスから離れる方向に選択的に換気する通気システムを備える。複数ガラス窓は更に、前記第１窓ガラス及び第２窓ガラスの各第１面上に夫々配置される第１反射膜及び第２反射膜を備える。そして前記第１面は前記空隙に対面し、前記反射膜は赤外線放射を前記空隙内へと反射して空隙内に加熱された空気を生成するように構成される。
【００１０】
複数ガラス窓は更に、前記第１窓ガラス及び第２窓ガラスの第２面上に夫々配置される反射防止膜を備える。前記第２面は前記空隙から見て外方に向き、前記反射防止膜は可視光と赤外線放射を前記空隙内へと透過させるように構成される。前記第１反射膜及び第２反射膜は光起電性であっても良く、更に第１反射防止膜及び第２反射防止膜も同様に光起電性であってもよい。幾つかの実施形態によっては複数ガラス窓は又、複数のガラス窓はまた、前記空隙に面する窓ガラスの第１面の上、あるいは反射膜の上に反射防止膜を備えている。従来の窓と比較して、本実施形態による窓は、受けとった電磁放射が最適な状態で前記空隙内と前記発電機に伝えられるため、受けとった電磁放射の内の比較的高いパーセンテージ（例えば、１５〜２５％）の電磁放射を有効エネルギに変換する。
【００１１】
本発明の特定の実施形態によれば、発電機は１枚以上からなる１組の光起電性パネルを備え、それは第１窓ガラス及び第２窓ガラスとほぼ平行な単一のパネルから成るものでも良く、あるいは窓ガラスに対し角度を成して設置される複数のストリップの形態であってもよい。前記光起電性材料はポリマー材料を含むものでもよい。複数ガラス窓は更に、前記光起電性パネルが結合された１組のルーバーを備えるものでもよい。前記ルーバーは最適なエネルギ生成のために、前記光起電性パネルに方向を合わせるように回転するように構成される。ポリマーストリップは、シートの形でリザーバから引き出され、ルーバーの長さに切断される。
【００１２】
本発明の別の特定実施形態によれば、前記空隙に対して第１開口部が前記フレームの上部に形成され、前記空隙に対して第２開口部が前記フレームの底部に形成される。その第１開口部は、前記第１窓ガラス及び第２窓ガラスの第１側部、及び第１窓ガラス及び第２窓ガラスの第２側部に対して開口し、前記第１側部と第２側部は互いに反対側であるように構成される。
【００１３】
本発明の別の特定実施形態によれば、複数ガラス窓は更に、前記第１開口部に配置された第１シャッタを備える。その第１シャッタは開閉されるように構成される。第１シャッタが開くことで、空隙から第１側部へと延びる第１エアチャネルは開口する。第２シャッタが閉じることで第１エアチャネルは閉じられる。複数ガラス窓は更に、前記第１開口部に配置された第２シャッタを備える。その第２シャッタは開閉されるように構成される。第２シャッタが開くことで、空隙から第２側部へと延びる第２エアチャネルは開口する。第２シャッタが閉じることで第２エアチャネルは閉じられる。
【００１４】
本発明の別の特定実施形態によれば、複数ガラス窓は更に、前記第１シャッタ及び前記第２シャッタに結合され、かつある温度で前記第１シャッタ及び第２シャッタを開閉するように構成されるサーモスタットを備える。複数ガラス窓は更に、１組のフィルタを備えても良く、この場合、各フィルタは前記空隙内及び／又は前記第１開口部と第２開口部内に配置されて前記空隙を介して移動する空気を濾過する。複数ガラス窓は更に、第１開口部に隣接して配置されて第１開口部から空気を押し出すファンを備える。そのファンは、ファンに電力を供給するため発電機に電気的に結合される。
【００１５】
本発明の一実施形態によれば、太陽光構造パネルは、互いに向かい合って配置される窓ガラス及び構造基板と、前記窓ガラスと構造基板を結合するフレームであって前記窓ガラスと前記構造基板と前記フレームとの間で空隙を形成するフレームとを備える。発電機は前記空隙内に配置されて電磁放射を電気に変換する。第１反射膜及び第２反射膜は前記窓ガラスの第１面上と前記構造基板の第１面とに夫々配置される。前記各第１面は前記空隙に対面する。前記各反射膜は、赤外線放射を前記空隙内へと反射して空隙内に加熱された空気を生成するように構成される。第１反射膜及び第２反射膜は前記窓ガラスの第２面と前記第１反射膜の上に夫々配置される。前記第２面は前記空隙から見て外方に向き、前記反射防止膜は可視光と赤外線放射を前記空隙内へと透過させるように構成される。特定の実施形態によれば、太陽光構造パネルは更に、前記窓ガラスと前記構造基板に一体で形成される複数ガラス窓を備える。
【００１６】
特定の実施形態によれば、太陽光構造パネルは水加熱装置を備え、その装置は熱を装置内にある水に集めるように構成される。その水加熱装置は、加熱された水を太陽光構造パネルの外へと移動するように構成される。水加熱装置は又、加熱された水を、前記太陽光構造パネルが装着されて使用されるビルディングの中に移動するように構成してもよい。
【００１７】
太陽光構造パネルの特定の実施形態によれば、前記発電機は１組の光起電性パネルを備える。その光起電性パネルはポリマーストリップであってもよい。ポリマーストリップは、シートの形でリザーバから引き出され、ルーバーの長さに切断されてもよい。太陽光構造パネルは更に、光起電性パネルが結合された１組のルーバーを備える。
【００１８】
太陽光構造パネルの特定の実施形態によれば、更に、第１窓ガラスから離れるか第２窓ガラスから離れる方向に空隙から熱を選択的に換気するように構成された通気システムを備える。前記ルーバーは、最適なエネルギ生成のために前記光起電性パネルに方向を合わせるべく回転するように構成される。太陽光構造パネルは更に、前記空隙から外に、又は空隙の中に暖かい空気を移動するように構成されたファンを備えてもよい。
【００１９】
太陽光構造パネルは、互いに向かい合って配置される窓ガラス及び構造基板と、前記窓ガラスと構造基板を結合するフレームであって前記窓ガラスと前記構造基板と前記フレームとの間で空隙を形成するフレームとを備える。発電機は前記空隙内に配置されて電磁放射を電気に変換するように構成される。第１反射防止膜及び第２反射防止膜は前記窓ガラスの第１面と第２面の上に夫々配置される。その第１面は前記空隙から見て外方を向いている。その第２面は前記空隙に対面している。前記第１反射防止膜及び第２反射防止膜は、可視光と赤外線放射を前記空隙内へと透過させるように構成されている。第１反射膜及び第２反射膜は前記第２反射防止膜と構造基板の第１面の上に夫々配置される。構造基板の第２面は前記空隙に対面している。夫々の反射膜は赤外線放射を前記空隙内へと反射し、空隙内に加熱された空気を生成するように構成される。特定の実施形態によれば、太陽光構造パネルは更に、窓ガラスと構造基板と一体で形成された複数ガラス窓を備える。
【００２０】
特定の実施形態によれば、太陽光構造パネルは更に水加熱装置を備え、その装置は装置内にある水に熱を集めるように構成される。その水加熱装置は、太陽光構造パネルから外に加熱された水を移動するように構成される。水加熱装置は、加熱された水を、前記太陽光構造パネルが装着されて使用されるビルディングの中に移動するように構成されてもよい。
【００２１】
太陽光構造パネルの特定実施形態によれば、発電機は、窓ガラスと構造基板に略平行な単一のパネルであったり、あるいは窓ガラスに角度を成して設置される複数ストリップの形態であったりもする１組の光起電性パネルを備える。その光起電性パネルはポリマー材料を含んでもよい。そのポリマー材料はシートの形でリザーバから引き抜くことができ、実施形態によってはストリップへと切断される。幾つかの実施形態では、太陽光構造パネルは更に、光起電性パネルを結合させた１組のルーバーを備える。
【００２２】
太陽光構造パネルの特定の実施形態によれば、更に、第１窓ガラスから離れるか第２窓ガラスから離れる方向に空隙から熱を選択的に換気するように構成された通気システムを備える。最適なエネルギ生成のために、ルーバーは光起電性パネルに方向を合わせるべく回転するように構成される。太陽光構造パネルは更に、前記空隙から外に、又は空隙の中に暖かい空気を移動するように構成されたファンを備えてもよい。
【００２３】
本発明のもう１つの実施形態によれば、ビルディングが上述したような太陽光構造パネルを備える。
【００２４】
本発明の一実施形態によれば、光起電性素子を形成するために構成された押出成形装置は、液体光起電性材料を収容するためにその内部にリザーバを配置するハウジング、及び光起電性シートを形成するために、それを介して前記液体光起電性材料が引き抜かれることになる開口部を形成する押出成形エレメントを備える。押出成形エレメントは又、光起電性シートに接触して、その光起電性シートを１組の光起電性ストリップに切断する１組のカッターを備えてもよい。前記カッターは光起電性ストリップの幅を設定するために互いに対し移動するように構成される。
【００２５】
本発明の本質と長所は、あくまで例であってそれに限定されるものではない明細書の残りの部分と図面を参照することにより、更に理解することができる。
【図面の簡単な説明】
【００２６】
【図１Ａ】本発明の一実施形態による複数ガラス窓の簡略図である。
【図１Ｂ】光起電材料を単一パネル上に配置した本発明の実施形態による複数ガラス窓の簡略図である。
【図２】本発明の別の実施形態による、その内部に複数の光起電性パネルを形成したルーバーの簡略斜視図である。
【図３】本発明の一実施形態による、比較的薄い光起電性ストリップを製造するために使用される押出成形装置の簡略図である。
【図４】本発明の一実施形態による、比較的薄い光起電性ストリップを押し出すための押出成形装置の一実施形態の簡略図である。
【図５】１組の光起電性膜が施される複数ガラス窓の簡略図である。
【図６Ａ】本発明の一実施形態による、ビルディング等の壁面上に配置されるように構成された太陽光構造パネルの簡略図である。
【図６Ｂ】本発明の一実施形態による、太陽光構造パネルの断面図である。
【図６Ｃ】本発明の別の実施形態による太陽光構造パネルの断面図である。
【図６Ｄ】光起電性材料に空気取り入れ口が設けられない、本発明の実施形態による太陽光構造パネルの断面図である。
【図６Ｅ】光起電性材料に空気取り入れ口が設けられない、本発明の実施形態による太陽光構造パネルの断面図である。
【発明を実施するための形態】
【００２７】
本発明は一般に、太陽光窓や太陽光壁のための太陽光ビルディング装置及び方法を提供するものである。さらに詳しく言えば、本発明は受けとった電磁放射を電気と熱に変換するように構成された太陽光窓や太陽光壁に関連する。
【００２８】
よく知られることだが、窓は建物の内側と建物の外側との間で機能的バリアを提供する。窓によって部屋を明るくする光の透過が可能になる。窓はまた、例えば人々が窓を通して外界を見るのを可能にする。窓はさらに、建物の内側と建物の外側の間での熱遮断を提供する。窓の設計者や製造業者は、光透過性や可視性や断熱性に加えて様々な機能を提供する新しい窓を開発しようと努力し続けている。例えば、窓の設計者や製造業者は、電磁放射の形で受けとったエネルギから電気を起こすようにした窓を開発した。本発明の実施形態はさらなる窓の改善を目的とするものであって、そこでは窓は、収集した電磁放射を発電に使用するように構成されており、また室内暖房や室内冷却等のため熱を集めるように構成されるものである。
【００２９】
図１Ａは本発明の一実施形態による複数ガラス窓１００の簡略図である。本願の明細書で言及される複数ガラス窓は２枚以上の窓ガラスを備えている。図１に示す特定実施形態によれば、複数ガラス窓１００は第１窓ガラス１０５及び第２窓ガラス１１０を含んでいる。窓ガラスは、ガラス、プラスチック等であってもよい。第１窓ガラスと第２窓ガラスはフレーム１１５によって結合することが可能である。フレーム１１５は、例えば木材、プラスチック、ビニール、ガラス、複合材料、その他の材料など様々な材料から構成することができる。これらの第１窓ガラス、第２窓ガラス及びフレームは、両窓ガラスとフレームの間に空隙１２０を形成するように配置されてもよい。
【００３０】
本発明の特定実施形態によれば、第１窓ガラス１０５の外側面１０５ａと第２窓ガラス１１０の外側面１１０ａの双方は反射防止膜１２５ａで被覆される。反射防止膜１２５は、例えば赤外線放射（ＩＲ）、可視光、紫外線（ＵＶ）等、比較的広い電磁放射スペクトルを透過するように構成されてもよい。
【００３１】
更なる実施形態によれば、第１窓ガラス１０５の内側面１０５ｂと第２窓ガラス１１０の内側面１１０ｂは反射防止膜１２５ｂにより被覆される。反射防止膜１２５ａと同様の反射防止膜１２５ｂは、例えば赤外線放射（ＩＲ）、可視光、紫外線（ＵＶ）等、比較的広い電磁放射スペクトルを透過するように構成されてもよい。
【００３２】
本発明のもう１つの特定実施形態によれば、反射膜１３０は、両方の窓ガラス１０５、１１０上にある反射防止膜１２５ｂ上に配置される。その代案としては、反射膜１３０が面１０５ｂ、１１０ｂ上に配置され、反射防止膜１２５ｂが反射膜上に配置されるようにしてもよい。反射膜１３０は、電磁放射の１つ以上の選択帯域幅を反射するように構成されてもよい。例えば、反射膜１３０はＩＲ放射を反射するように構成されてもよい。面１０５ａ、１０５ｂ、１１０ａ及び１１０ｂにおける電磁放射線の透過（即ち、反射防止）と、面１０５ｂ、１１０ｂにおけるＩＲ放射の反射を可能にしつつ、第１窓ガラス及び第２窓ガラスは、熱が空隙１２０内で比較的効率的に回収・維持され得ることをもたらしている。反射防止膜１２５ａ、１２５ｂと反射膜１３０は、従来からの誘電体層を含んだり、もしくは、例えば透明性や所望の反射防止特性や反射特性をもたらすような、比較的薄くかつ光起電性であり得るポリマー（例えば、シリコーン）ゴム片又はシートのようなその他の材料を含んでもよい。複数のガラス窓１００の反射防止膜１２５ａ、１２５ｂや反射膜１３０やその他の要素は、便宜上、縮尺通りに描かれていない。
【００３３】
複数ガラス窓１００は、空隙１２０内に配置されるような１組の光起電性パネル１４０を含んでもよい。本願の明細書で言及する「１組」とは１つ、又はそれ以上の数の要素を含んでいる。図１の実施形態では、その「１組」は複数の帯状パネルを含んでいる。実施形態によっては、光起電性パネルは比較的薄いパネルでもよい。例えば、光起電性パネルは、前方から後方にかけて（例えば、Ａ−Ａから）約２００マイクロメートル以下の厚さでもよい。光起電性パネルは、パネルに当たる電磁放射を電気に変換するように構成されてもよい。電気は、複数ガラス窓の内側、及び／又は外部用途（例えば、ランプの点灯等）のために複数ガラス窓の外側にある様々な電気的構成部品に導かれるよう構成されてもよい。
【００３４】
光起電性パネルは１組のルーバー１４５に結合することができる。その結合は１対１でも１対複数であってもよい。つまり、１枚の光起電性パネルが１個のルーバーに結合される場合もあるし、複数枚の光発電性パネルが１個のルーバーに結合されることもあり得る。ルーバーは、例えばプラスチック、木材、ガラス、複合材料、その他様々な材料から形成することができる。光起電性パネルはルーバーに対して機械的に結合してもよいし、化学的な形（例えば、接着、エポキシ樹脂接着等）やその他の形でルーバーに結合してもよい。光起電性パネルは、決まった位置にルーバーに結合してもよいし、ルーバーに対して回転可能なように構成されてもよい。当業者であるならば、光起電性パネルがルーバーに対して回転可能となるように光起電性パネルをルーバーに結合する方法は承知しているだろう。反射防止膜１２５ａ、１２５ｂがあることで、比較的高いパーセンテージの受信電磁放射線（公知の窓と比較して）が窓ガラスを介して光起電性パネルに伝達され、発電率が比較的高くなる。
【００３５】
図１Ｂは、本発明の実施形態による複数ガラス窓１００の簡略図であって、ここでは１組の光起電力素子が窓の相当な領域に亘って延びる単一の素子を備えるか、あるいはより大きく略同一平面上の少数の素子を備えている。
【００３６】
図２は、本発明の別の実施形態によるものであって、その内部に複数の光起電性パネル１４０ａを形成するルーバー１４５ａの簡略斜視図である。図示されたルーバー１４５はその中に複数の光起電性パネルを備えているが、これとは別にルーバーは単一の光起電性パネルを備えてもよい。一実施形態によれば、各光起電性パネル１４７は吸収層によって裏打ちされている。吸収層は、光起電性パネルを通過する電磁放射を吸収し、吸収された電磁放射を空隙内加熱に変換するように構成されている。
【００３７】
一実施形態によれば、ルーバーは、これらの光起電性パネルに当たる電磁放射線に対して最適な光起電性パネルの露出を提供するように回転されるように構成されてもよい。最適露出は、光起電性パネルが受ける電磁放射に対して光起電性パネルが実質上、最大の電力出力を発生するような位置を含んでいる。例えば、電磁放射に対する光学的露出のためにルーバーが配向される位置は往々にして、９０度となる。即ち、入射電磁放射線は９０度で光起電性パネルに衝突する。ルーバーはユーザによって手動で回転されたり、１つ以上のモータ等（図示せず）によって自動で回転されるようにしてもよい。複数ガラス窓は、光起電性パネルが最適に電磁放射線に対して位置決めされているかどうかを決定すると共に光起電性パネルが最適に配向されるまで、ルーバーの角度を調整する１つ以上のモータを制御するように構成された検出回路を備えてもよい。
【００３８】
一実施形態によれば、複数ガラス窓１００の底部には第１開口部１５０が形成されており、その上部には第２開口部１５５が形成されている。第１開口部１５０は、空隙１２０と窓の内側の間に位置してもよい。即ち、第１開口部はビルディングにある部屋に向かう形でもよい。第２開口部１５５は空隙１２０と窓の内側及び／又は窓窓の外側との間に。即ち、第２開口部はビルディング内の部屋に向かい、更に／又はビルディングの外側に向かう形でもよい。
【００３９】
一実施形態によれば、複数ガラス窓１００は、開口部１５５に位置してもよい第１シャッタ１６０ａ及び／又は第２シャッタ１６０ｂを備えることができる。第１シャッタ１６０ａは、開口部１５５を介してビルディングの外側に向かう空気の流れを調整するために複数ガラス窓の外側に向かって配置されてもよい。第２シャッタ１６０ｂは、開口部１５５を介してビルディングの内側に向かう空気の流れを調整するために複数ガラス窓の内側に向かって配置されてもよい。各シャッタはユーザにより手動で開閉されるように構成しても良く、更に／あるいはサーモスタット１６５によって開閉されるように構成してもよい。サーモスタットは（例えば、バイメタルスプリングのような）機械的装置、電子的装置、電子機械的装置等であってもよい。サーモスタットは、その温度で第１シャッタ及び第２シャッタの一方又は両方を開閉することができるような所定の温度に設定されるようにしてもよい。サーモスタットは、仮に室内温度が約７５度以上である場合、第１シャッタ１６０ａを開け、第２シャッタ１６０ｂを閉じるよう構成してもよい。第１シャッタが開き、第２シャッタが閉じることで暖かい空気は部屋から第１開口部１５０を経て上方に流れ、第２開口部１５５を介して部屋の外へと流れることが可能となる。これにより、空隙内に集められた熱が室内に流入することが限定される。このサーモスタットとシャッタの動作例により、仮に部屋が所望の値（例えば、約７５度以上）よりも暖かくなった場合、複数ガラス窓によって、ビルディングの室内からビルディングの外側に熱を排出できることになる。又、部屋の温度が所望の値よりも低い場合には、サーモスタットによって第１シャッタ１６０ａを閉じ、第２シャッタ１６０ｂを開けることで、空隙内部に蓄積された暖かい空気を室内に流入させることができる。即ち、室内からの冷気は第１開口部１５０を介して流すことができ、空隙内の暖かい空気は第２開口部１５５を通って室内へと出すことができる。
【００４０】
本発明の一実施形態によれば、空隙の中、及び／又は各開口部の１つ又は双方に隣接して１組のファン１７０が配置され、空隙内の空気を第２開口部１５５を介して室内や室外に押し出す。この１組のファンは、空気を室内に移動させたり、室外に移動させるために、第１シャッタ及び第２シャッタと連動して動作するようにしてもよい。１組のファン１７０は１組の光起電性パネルに電気的に結合し、その動作のためにそこから電気を引くようにしてもよい。これとは別にファンは外部電源に結合してもよい。１組のファンはサーモスタットの制御下で電源をオン・オフにするようにしてもよい。複数ガラス窓は、空隙内に流入したり、更に／あるいは空隙から流出する空気を濾過するために、空隙の内部、及び／又は第１開口部及び第２開口部の一方、又は双方の中に１個以上のフィルタ１７５を配置するようにしてもよい。フィルタは、空隙１２０を通って移動する空気から粒子状物質を除去することで窓ガラスの内面を清浄な状態に維持するように構成することができる。
【００４１】
本発明の別の実施形態によれば、複数ガラス窓１００は空隙内の熱を電気エネルギに変えるように構成された発電機１８０を備える。その発電機１８０は機械的発電機であったり、熱電気発電機やその他のものであってもよい。発電機１８０によって生成された電気は外部使用のため、複数ガラス窓から外へと導いたり、あるいはサーモスタットや１組のファン及び／又は類似物を作動させるために内部的に導くようにしてもよい。複数ガラス窓は２つの発電システム、即ち、光起電性パネルと発電機を備えることができるので、複数ガラス窓は、他の公知のエネルギ発生窓と比較して、電磁放射から窓に供給される比較的大きな量のエネルギを使用するように構成される。
【００４２】
本発明の別の実施形態によれば、複数ガラス窓は水加熱装置１９０を備える。水加熱装置は空隙内に配置されてその中にある熱を集め、水を加熱してもよい。水は、複数ガラス窓の外側から水加熱装置１９０に供給されて、外部で使用するために複数ガラス窓から分配されてもよい。空隙の内側にある熱に対して比較的最適な水の露出を提供するために、水加熱ユニットは、これを通って水が移動するような１組のチューブ等を備えてもよい。
【００４３】
本発明の別の実施形態によれば、比較的薄い光起電性シートと比較的薄い光起電性ストリップを生成するための装置及び方法が提供される。比較的薄い光起電性シート及び／又は比較的薄い光起電性ストリップは、例えば複数ガラス窓１００の窓ガラスやルーバー上など、複数ガラス窓上に配置するために生成されてもよい。図３は、比較的薄い光起電性シート３０５及び／又は比較的薄い光起電性ストリップ３１０を製造するために使用される押出成形装置３００の概略図である。押出成形装置３００はリザーバ３１２を備えることができ、その中にはポリマー材料３１５が貯められてもよい。ポリマー材料は、リザーバ内において実質的に液体の光起電性材料でもよい。そのポリマー材料に対し、比較的薄い光起電性シート及び／又は比較的薄い光起電性ストリップが引き抜かれてもよい。ポリマー材料３１５はシリコーン系材料等であってもよい。一実施形態によれば、押出成形装置３００は押出成形エレメント３２５を備える。押出成形エレメントは、アパーチャ３３０や、その中に形成されたローラ（図示せず）等を備えることができ、そこから比較的薄い光起電性シート３０５を引き抜くことができる。一実施形態によれば、押出成形装置は、比較的薄い光起電シートを所望の長さに切断するカッターエレメント３３５を備えることができる。カッターエレメントは、比較的薄い光起電性シートを切断するために押出成形エレメントの長さに沿って移動するように構成されてもよい。
【００４４】
別の実施形態によれば、押出成形装置３００は、比較的薄い光起電性シート３０５を１組の比較的薄い光起電性ストリップ３１０に切断する、１組のカッター３４０を備える。比較的薄い光起電性ストリップを形成するために、１組のカッターの夫々は比較的薄い光起電性シートに孔をあけるナイフ刃、ローラカッター等を備えてもよい。更なる実施形態によれば、比較的薄い光起電性ストリップの幅が要求通りに設定できるように、１組の中のカッター３４０の夫々は互いに対して移動されるように構成されてもよい。矢印３４５は、比較的薄い光起電性ストリップの切断幅を設定する際に移動可能な方向を示している。代替的な実施形態では、押出成形エレメント３２５は、比較的薄い光起電性ストリップ３１０がそこから引き抜くことができる１組のアパーチャ、１組のローラ等を備えてもよい。
【００４５】
図４は、本発明の一実施形態による押出成形装置４００の一実施形態の簡略図である。図４の斜視図では見えない押出成形装置の様々な部分は仮想線で示されている。押出成形装置は、ポリマー材料３１５が配置され得るリザーバ４０５を備えることができる。ポリマー材料は、リザーバ内で実質上液体である光起電性材料とすることができる。そのポリマー材料から比較的薄い光起電性シート３０５及び／又は比較的薄い光起電性ストリップ３１０を引き出すことができる。押出成形装置はその中にアパーチャ４１０を形成しており、ここから比較的薄い光起電性シート３０５を引き出すことができる。押出成形装置は、例えばローラ４２０等の他の成形装置を備えてもよい。押出成形装置は、例えば押出成形装置３００に関連して上述したカッター３４０のような１組のカッター（図示せず）を備えてもよい。そのカッターは、比較的薄い光起電性シートを比較的薄い光起電性ストリップに切断するように構成されてもよい。一実施形態によれば、比較的薄い光起電性ストリップは比較的長くてもよい。例えば、比較的薄い光起電性ストリップは、窓内のルーバーの一端からルーバーの反対側の端部へと延在するのに十分な長さであってもよい。比較的薄い光起電性ストリップは、ストリップが引き抜かれている間に所望の長さに切断されてもよい。例えば、比較的薄い光起電性ストリップは、５センチ（２インチ）〜７．６センチ（３インチ）や数センチ（数インチ）の長さ（例えば、２５センチ（１０インチ）、１０２センチ（４０インチ）、２５４センチ（１００インチ）等）に切断されてもよい。比較的薄い光起電性ストリップは、例えば機械的結合や化学結合等、様々な技術によってルーバーに結合することができる。比較的薄い光起電性ストリップは、薄い光起電性ストリップによって電気に変換されることのない光の可視スペクトルに対して実質的に透明であってもよい。比較的薄い光起電性ストリップが結合されるルーバーはプラスチックや金属等であってもよい。別の実施形態によれば、比較的薄い光起電性ストリップは、これに代わる形でプラスチック系であっても良く、複数ガラス窓のルーバーや窓ガラスに結合されてもよい。比較的薄い光起電性ストリップ及び／又は比較的薄い光起電性シートを窓ガラスに被覆し、上述した透過・反射膜を提供してもよい。
【００４６】
一実施形態によれば、アパーチャ４１０はアパーチャからのポリマー引き抜きに重力がアシストするように下方に向いている。ローラ４２０は、所望の厚さの光起電性シート及び／又はストリップを形成するために、リザーバから引き出された際にポリマー上に張力がかかるようにモータ等により回転されるように構成されてもよい。
【００４７】
図５は、１組の光起電性膜５００が形成された複数ガラス窓の簡略図である。第１光起電性膜５００ａは第１窓ガラス１０５の外側面１０５ａに結合され、第２光起電性膜５００ｂは第１窓ガラス１０５の内側面１０５ｂに結合することができる。第３光起電性膜５００ｃは第２窓ガラス１１０の外側面１１０ｄに結合され、第４光起電性膜５００ｄは第２窓ガラス１１０の内側面１１０５に結合することができる。膜５００ａ、５００ｂ、５００ｃ及び５００ｄは反射防止膜とすることができ、太陽光スペクトルにおいて比較的高い透過係数（例えば、９５％以上の透過度）を有する。更なる実施形態によれば、光起電性膜５００ｅ、５００ｆが光起電性膜５００ｄ、５００ｂの上に夫々配置される。代替的には、光起電性膜５００ｅ、５００ｆが面１０５ｂ、１１０ｂに夫々結合され、光起電性膜５００ｂ、５００ｄが光起電性膜５００ｂ、５００ｄの上に夫々配置されるようにしてもよい。光起電性膜５００ｅ、５００ｆは、熱が空隙１２０内のこれらの被膜によって捕捉され得るように、赤外線スペクトルにおける反射防止膜とすることができる。光起電性膜は単一片の塑性光起電性材料であってもよいし、複数片の塑性光起電性材料であってもよい。光起電性膜は比較的薄い光起電性シート３０５及び／又は複数片からなる比較的薄い光起電性ストリップ３１０であってもよい。図５に示す複数ガラス窓は、上述した複数ガラス窓１００の各要素、例えば光起電性ストリップを有する１組のルーバー、窓内の熱を電気に変換する発電機等、ファン、フィルタ等を備えることができる。複数ガラス窓１００に関して上述したこれらの要素は、便宜上、図５には示されていない。
【００４８】
図６Ａは、本発明の一実施形態による、ビルディングの壁に結合されてビルディング壁の一部等を形成するように構成された太陽光構造パネル６００の簡略図である。図６Ｂは本発明の一実施形態による太陽光構造パネル６００の断面図である。その断面図は、図６Ａに示す太陽光構造パネルの側部（マーク「Ａ」）からのものである。複数ガラス窓１００の説明に関して先に採用したのと同じ符号方式が太陽光構造パネル６００と同一、又は実質的に同様の要素に対して使用されている。
【００４９】
太陽光構造パネル６００は、電気への太陽光放射の変換や流体加熱等のために太陽光放射を収集するべく、ビルディングの１つ以上の外壁上に配置されるように構成されている。太陽光構造パネルによって生じた電力は、太陽光構造パネルの様々な電気機器への電力供給のために使用してもよいし、太陽光構造パネルが取り付けられたビルディングやその他のビルディングにある様々な電気機器に電力を供給したり、バッテリの充電に用いたり、太陽光構造パネルが取り付けられるビルディングの外側にある種々の電気機器等への電力供給に使用してもよい。尚、本願の明細書で言及した上記流体とは液体や気体を含むことができる。
【００５０】
本発明の一実施形態によれば、太陽光構造パネルは（上述した）複数ガラス窓１００と一体で形成される。代替的な実施形態では、太陽光構造パネルは内部に窓を備えずに、ビルディングの既存の窓を収納したり、窓を受けるための開口部を備える。開口部に装着される窓は複数ガラス窓１００やその他の窓であってもよい。太陽光構造パネルを建物の既存の壁を覆うように構成し、建物が太陽光構造パネルを含むように“改修”してもよい。太陽光構造パネルは新しい建築構造に使えるように構成されてもよい。太陽光構造パネルは、例えばスタッコ、木、レンガ、羽目板（例えば、アルミニウム、ビニル、木材等）、プレストレスコンクリート、軽量コンクリートブロック等のような既存の建築材料に亘って適合するように構成してもよい。構造パネルは建物の木製スタッドや金属スタッド等に結合されるように構成してもよい。太陽光構造パネルは、釘打ち、ねじ止め、接着、機械的結合、溶接、これら各技術の組み合わせ、その他といったような数多ある技術のいずれかを使って建物の壁に結合されるように構成してもよい。
【００５１】
一実施形態によれば、太陽光構造パネル６００は窓ガラス１０５と構造基板６１０を備える。ここでの窓ガラスはガラス、プラスチック等であってもよい。一体的に形成された複数ガラス窓１００を備える太陽光構造パネルの一実施形態によれば、窓ガラス１０５は、複数ガラス窓１００の第１窓ガラスとすることができる。構造基板は、ガラス、プラスチック、木材、コンクリート、金属、複合材料、これらの材料の組み合わせ、又は他の材料であってもよい。一体的に形成された複数ガラス窓１００を備える太陽光構造パネルの実施形態によれば、構造基板は各要素の組み合わせからなるものでもよい。例えば、複数ガラス窓が置かれる構造基板部分が窓ガラス１１０を備えるのに対し、複数ガラス窓の位置ではない構造基板部分を異なる材料から形成するようにしてもよい。また、特定実施形態を、複数ガラス窓の位置に形成された開口部と、その開口部や開口部内に位置する窓ガラス１１０とを備えたものとしての構造基板と見なすことも可能である。
【００５２】
一実施形態によれば、窓ガラス１０５と構造基板６１０はフレーム１１５によって結合することができる。フレームは、木材、プラスチック、ビニール、ガラス、複合材料、金属等、様々な材料の一つ、あるいはそれ以上から構成されてもよい。窓ガラス、構造基板及びフレームは、窓ガラスと構造基板とフレームとの間で空隙１２０を形成するように配置されてもよい。一体的に形成された複数ガラス窓１００を備えた太陽光構造パネルの一実施形態によれば、窓ガラス１０５は、複数ガラス窓１００の中の第１窓ガラスとすることができる。加えて、太陽光構造パネルに一体形成された形で複数ガラス窓１００を備えた太陽光構造パネルの実施形態によれば、複数ガラス窓が配置される太陽光構造パネルの部分は、複数ガラス窓の輪郭を形作る第２フレーム１１６を備えてもよい。これに代わって、太陽光構造パネルと一体形成された形で複数ガラス窓１００を備える太陽光構造パネルにおいて、複数ガラス窓が配置されている太陽光構造パネルの部分は第２フレーム１１６を備えないかもしれず、空隙１２０は太陽光構造パネルを横切る形で実質的に連続したものとしてもよい。
【００５３】
本発明の一実施形態によれば、窓ガラス１０５の外側面１０５ａと内側面１０５ｂには、反射防止膜１２５ａと１２５ｂとが夫々被覆される。反射防止膜１２５ａと１２５ｂは例えば、赤外線（ＩＲ）放射、可視光、紫外（ＵＶ）光等、比較的広いスペクトルの電磁放射を透過するように構成されてもよい。反射防止膜を設けることで、実質上最大量の太陽光放射が窓ガラス１０５を介して空隙１２０内へと透過される。
【００５４】
もう１つの実施形態によれば、反射膜１３０ａは反射防止膜１２５上に配置される。これとは別に反射膜１３０ａを面１０５ｂ上に配置し、反射防止膜１２５ｂを反射膜上に配置してもよい。反射膜１３０ｂを構造基板６１０の表面６１０ａに配置することも可能である。反射膜１３０ａ、１３０ｂは電磁放射の一つ以上の選択帯域幅を反射するように構成されてもよい。例えば、反射膜１３０ａ、１３０ｂはＩＲ放射を反射するように構成されてもよい。面１０５ａ、１０５ｂにおいて電磁放射を透過（即ち、反射防止）し、面１０５ｂ、６１０ａにおいてＩＲ放射を反射することにより、窓ガラスと構造基板とによって、熱を比較的効率良く回収して空隙１２０内に保持させることができる。
【００５５】
太陽光構造パネル６００は、１組の光起電性パネル１４０を空隙１２０内に配置した状態で備える用にしてもよい。光起電性パネル１４０については先に詳細に説明した。光起電性パネルは、上述したルーバーのような不透明な基板上に配置してもよい。光起電性パネルで発電した電気はビルディング内の電気器具を駆動するために使用してもよい。別の実施形態によれば、太陽光構造パネルは又、水加熱装置（例えば、上述した水加熱装置１９０）を備えている。水加熱装置は、それらの内部を水が走ることで空隙から熱を集めるように構成された１組のチューブやパイプを備えることができる。加熱された水は、ビルディングを暖めたり、パーソナルユース（飲料、調理、入浴等）として使用したり、様々な目的に使用可能である。太陽光構造パネルには、住宅の電力供給装置家や一揃いのバッテリ等に対して太陽光構造パネルの光起電性パネルを接続するための様々な電気コネクタの一つ以上を備えるようにしてもよい。
【００５６】
光起電性パネルからなる組は（上述したように）１組のルーバーに結合しても、図６Ｃに示すような構造基板６１０に結合してもよい。光起電性パネルの結合は１対１や１対複数の形でルーバーに結合してもよい。つまり、１枚の光起電性パネルを１枚のルーバーに結合してもよいし、複数枚の光発電性パネルを１枚のルーバーに結合してもよい。ルーバーは、プラスチック、木材、ガラス、複合材料等の様々な材料から形成することができる。光起電性パネルからなる組は機械的にルーバーに結合しても良く、化学的（例えば、接着剤やエポキシ樹脂による接着等）又は類似の形態でルーバーに結合されるようにしてもよい。光起電性パネルは決まった位置でルーバーに結合しても良く、又ルーバーに対して回転可能なように構成することも可能である。当業者であるならば、光起電性パネルがルーバーに対して回転可能するために、如何様にして光起電性パネルをルーバーに結合させるかを知っているであろう。反射防止膜１２５ａ、１２５ｂを設けることで、受けとった電磁放射の内の比較的高いパーセンテージ（公知の窓と比較して）の放射が窓ガラスを介して光起電性パネルへもたらされ、比較的高い発電率が提供される。図６Ａ〜図６Ｃに示した光起電性パネル１４０は構造基板の面に対して０度でない角度で配置されてはいるが、実施形態によっては、光起電性パネルは、構造基板の面に対して略平行に配置されてもよい。
【００５７】
太陽光構造パネルはビルディングの内外へ暖かい空気を移動させる１組のファン（例えば、上述したファン１７０）を備えてもよい。太陽光構造パネルは、ビルディングの内外に加熱された空気を移動させるための（上述したような）様々なシャッタ、開口部、通路等を備えることができる。
【００５８】
太陽光構造パネルは、様々なビルディングの大きさや形状に適合するべく様々な有効サイズや形状を有してもよい。例えば、太陽光構造パネルを比較的大きなものとし、家やビルディング等の外壁を覆うように構成してもよい。太陽光構造パネルは、窓、コンセント、エアベント、ダクト等を収容するための様々な開口部を備えてもよい。
【００５９】
図６Ｄ及び６Ｅは、ルーバーに光起電性材料を用いるのではなく、光起電性材料をパネルの相当な領域に亘って延在させた単一のパネルとして配置した、本発明の実施形態による太陽光構造パネルの断面図である。光起電材料は、窓ガラス１０５と構造基板６１０との間にある内部容積内のおおよそ中央に配置することが可能であり、あるいは構造基板に近接させるか基板上に配置することができる。なお、このルーバー化しない実施形態の特徴は図６Ａのルーバー化した実施形態の特徴と組み合わせ可能であることが理解される。例えば、壁部分を光起電性材料とせずに窓の光起電性材料をルーバー上に配置しても良く、又その逆であってもよい。
【００６０】
なお、上述した例及び実施形態はあくまで例証目的のためだけのものでありにのみであり、発明の観点において様々な変更や改変が変形や当業者によって示唆されることになるが、それらは本願明細書の精神と範囲、及び添付の特許請求の範囲内に含まれることになることを理解されたい。従って、上記の説明は、特許請求の範囲によって定義される本発明の範囲を限定するものとして理解されるべきではない。
【図１Ａ】
2015503074.tif 000003
【図１Ｂ】
2015503074.tif 000004
【図２】
2015503074.tif 000005
【図３】
2015503074.tif 000006
【図４】
2015503074.tif 000007
【図５】
2015503074.tif 000008
【図６Ａ】
2015503074.tif 000009
【図６Ｂ】
2015503074.tif 000010
【図６Ｃ】
2015503074.tif 000011
【図６Ｄ】
2015503074.tif 000012
【図６Ｅ】
2015503074.tif 000013
【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換するように構成された発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射膜及び第２反射膜であって、前記第１面は前記空隙に対面し、前記第１反射膜及び第２反射膜は赤外線放射を前記空隙内へと反射して空隙内に加熱された空気を生成するように構成された第１反射膜及び第２反射膜、及び
前記第１窓ガラス及び第２窓ガラスの各第２面上に夫々配置される第１反射膜及び第２反射防止膜であって、前記第２面は前記空隙から見て外方に向き、可視光と赤外線放射を前記空隙内へと透過させるように構成された第１反射防止膜及び第２反射防止膜、を有することを特徴とする複数ガラス窓。
【請求項２】
前記第１反射膜及び第２反射膜上に夫々配置され、かつ可視光と赤外線放射を前記空隙内へと透過させるように構成された第３反射防止膜及び第４反射防止膜を更に有することを特徴とする請求項１に記載の複数ガラス窓。
【請求項３】
前記発電機は、１枚以上からなる１組の光起電性パネルを備えることを特徴とする請求項１に記載の複数ガラス窓。
【請求項４】
前記光起電性パネルはポリマーストリップであることを特徴とする請求項３に記載の複数ガラス窓。
【請求項５】
前記空隙に対して第１開口部が前記フレームの上部に形成され、前記空隙に対して第２開口部が前記フレームの底部に形成されることを特徴とする請求項１に記載の複数ガラス窓。
【請求項６】
前記第１反射膜及び第２反射膜は光起電性であり、第１反射防止膜及び第２反射防止膜は光起電性であることを特徴とする請求項１に記載の複数ガラス窓。
【請求項７】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換する発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射防止膜及び第２反射防止膜であって、前記第１面は前記空隙に対面する第１反射防止膜及び第２反射防止膜、及び
前記第１窓ガラス及び第２窓ガラスの各第２面上に夫々配置される第３反射防止膜及び第４反射防止膜であって、前記第２面は前記空隙から見て外方に向き、前記第３反射防止膜及び第４反射防止膜は可視光と赤外線放射を前記空隙内へと透過させるように構成された第３反射防止膜及び第４反射防止膜を有することを特徴とする複数ガラス窓。
【請求項８】
前記空隙に対して第１開口部が前記フレームの上部に形成され、前記空隙に対して第２開口部が前記フレームの底部に形成されることを特徴とする請求項７に記載の複数ガラス窓。
【請求項９】
第１開口部に隣接して配置され、かつ第１開口部から空気を押し出すように構成されたファンを更に有することを特徴とする請求項８に記載の複数ガラス窓。
【請求項１０】
前記ファンは、ファンに電力を供給するため発電機に電気的に結合されていることを特徴とする請求項９に記載の複数ガラス窓。
【請求項１１】
前記第１反射膜及び第２反射膜は光起電性であり、前記第１反射防止膜及び前記第２反射防止膜は光起電性であることを特徴とする請求項７に記載の複数ガラス窓。
【請求項１２】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面上と前記構造基板の第１面に配置される第１反射膜及び第２反射膜であって、
前記各第１面は前記空隙に対面し、さらに
前記各反射膜は、赤外線放射を前記空隙内へと反射して空隙内に加熱された空気を生成するように構成された第１反射膜及び第２反射膜、及び
前記窓ガラスの第２面と前記第１反射膜の上に夫々配置される第１反射防止膜及び第２反射防止膜であって、前記第２面は前記空隙から見て外方に向き、前記第１反射防止膜及び第２反射防止膜は可視光と赤外線放射を前記空隙内へと透過させるような第１反射防止膜及び第２反射防止膜、を有することを特徴とする太陽光構造パネル。
【請求項１３】
複数ガラス窓を更に有することを特徴とする請求項１２に記載の太陽光構造パネル。
【請求項１４】
前記空隙から熱を前記第１窓ガラスから離れるか、前記第２窓ガラスから離れる方向に選択的に換気するように構成された通気システムを有することを特徴とする請求項１２に記載の太陽光構造パネル。
【請求項１５】
前記空隙から外に、又は空隙の中に暖かい空気を移動するように構成されたファンを更に有することを特徴とする請求項１２に記載の太陽光構造パネル。
【請求項１６】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面と第２面の上に配置される第１反射防止膜及び第２反射防止膜であって、
前記第１面は前記空隙から見て外方を向き、
前記第２面は前記空隙に対面し、さらに
可視光と赤外線放射を前記空隙内へと透過させるように構成された第１反射防止膜及び第２反射防止膜、及び
前記第２反射防止膜と前記構造基板の第１面の上に夫々配置される第１反射膜及び第２反射膜であって、
前記構造基板の前記第１面は前記空隙に対面し、さらに
前記各反射膜は、赤外線放射を前記空隙内へと反射して空隙内で加熱された空気を生成するように構成された第１反射膜及び第２反射膜、を有することを特徴とする太陽光構造パネル。
【請求項１７】
複数ガラス窓を更に有することを特徴とする請求項１６に記載の太陽光構造パネル。
【請求項１８】
前記第１窓ガラスから離れるか前記第２窓ガラスから離れる方向に、前記空隙から熱を選択的に換気するように構成された通気システムを更に有することを特徴とする請求項１６に記載の太陽光構造パネル。
【請求項１９】
請求項１２に記載の太陽光構造パネルを有するビルディング。
【請求項２０】
請求項１６に記載の太陽光構造パネルを有するビルディング。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換するように構成された発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射膜及び第２反射膜であって、前記第１面は前記空隙に対面し、前記第１反射膜及び第２反射膜は赤外線放射を前記空隙内へと反射して空隙内に加熱された空気を生成するように構成された第１反射膜及び第２反射膜、及び
前記第１窓ガラス及び第２窓ガラスの各第２面上に夫々配置される第１反射膜及び第２反射防止膜であって、前記第２面は前記空隙から見て外方に向き、可視光と赤外線放射を前記空隙内へと透過させるように構成された第１反射防止膜及び第２反射防止膜、を有することを特徴とする複数ガラス窓。
【請求項２】
前記第１反射膜及び第２反射膜上に夫々配置され、かつ可視光と赤外線放射を前記空隙内へと透過させるように構成された第３反射防止膜及び第４反射防止膜を更に有することを特徴とする請求項１に記載の複数ガラス窓。
【請求項３】
前記発電機は、１枚以上からなる１組の光起電性パネルを備えることを特徴とする請求項１に記載の複数ガラス窓。
【請求項４】
前記光起電性パネルはポリマーストリップであることを特徴とする請求項３に記載の複数ガラス窓。
【請求項５】
前記空隙に対して第１開口部が前記フレームの上部に形成され、前記空隙に対して第２開口部が前記フレームの底部に形成されることを特徴とする請求項１に記載の複数ガラス窓。
【請求項６】
前記第１反射膜及び第２反射膜は光起電性であり、第１反射防止膜及び第２反射防止膜は光起電性であることを特徴とする請求項１に記載の複数ガラス窓。
【請求項７】
複数ガラス窓において、
互いに対向する第１窓ガラス及び第２窓ガラス、
前記第１窓ガラス及び第２窓ガラスに結合されるフレームであって、前記第１窓ガラスと第２窓ガラスと前記フレームとの間で空隙を形成するフレーム、
前記空隙内に配置されて、電磁放射を電気に変換する発電機、
前記空隙から熱を前記第１窓ガラスから離れるか、前記第２窓ガラスから離れる方向に選択的に換気するように構成された通気システム、
前記第１窓ガラス及び第２窓ガラスの各第１面上に夫々配置される第１反射防止膜及び第２反射防止膜であって、前記第１面は前記空隙に対面する第１反射防止膜及び第２反射防止膜、及び
前記第１窓ガラス及び第２窓ガラスの各第２面上に夫々配置される第３反射防止膜及び第４反射防止膜であって、前記第２面は前記空隙から見て外方に向き、前記第３反射防止膜及び第４反射防止膜は可視光と赤外線放射を前記空隙内へと透過させるように構成された第３反射防止膜及び第４反射防止膜を有することを特徴とする複数ガラス窓。
【請求項８】
前記空隙に対して第１開口部が前記フレームの上部に形成され、前記空隙に対して第２開口部が前記フレームの底部に形成されることを特徴とする請求項７に記載の複数ガラス窓。
【請求項９】
第１開口部に隣接して配置され、かつ第１開口部から空気を押し出すように構成されたファンを更に有することを特徴とする請求項８に記載の複数ガラス窓。
【請求項１０】
前記ファンは、ファンに電力を供給するため発電機に電気的に結合されていることを特徴とする請求項９に記載の複数ガラス窓。
【請求項１１】
前記第１反射防止膜及び前記第２反射防止膜は光起電性であることを特徴とする請求項７に記載の複数ガラス窓。
【請求項１２】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面上と前記構造基板の第１面に配置される第１反射膜及び第２反射膜であって、
前記各第１面は前記空隙に対面し、さらに
前記各反射膜は、赤外線放射を前記空隙内へと反射して空隙内に加熱された空気を生成するように構成された第１反射膜及び第２反射膜、及び
前記窓ガラスの第２面と前記第１反射膜の上に夫々配置される第１反射防止膜及び第２反射防止膜であって、前記第２面は前記空隙から見て外方に向き、前記第１反射防止膜及び第２反射防止膜は可視光と赤外線放射を前記空隙内へと透過させるような第１反射防止膜及び第２反射防止膜、を有することを特徴とする太陽光構造パネル。
【請求項１３】
複数ガラス窓を更に有することを特徴とする請求項１２に記載の太陽光構造パネル。
【請求項１４】
前記空隙から熱を前記窓ガラスから離れる方向に換気するように構成された通気システムを有することを特徴とする請求項１２に記載の太陽光構造パネル。
【請求項１５】
前記空隙から外に、又は空隙の中に暖かい空気を移動するように構成されたファンを更に有することを特徴とする請求項１２に記載の太陽光構造パネル。
【請求項１６】
太陽光構造パネルにおいて、
互いに向かい合って配置される窓ガラスと構造基板、
前記窓ガラスと構造基板を結合するフレームであって、前記窓ガラスと前記構造基板と前記フレームとの間で空隙を形成するフレーム、
前記空隙内に配置されて、電磁放射を電気に変換する発電機、
夫々が前記窓ガラスの第１面と第２面の上に配置される第１反射防止膜及び第２反射防止膜であって、
前記第１面は前記空隙から見て外方を向き、
前記第２面は前記空隙に対面し、さらに
可視光と赤外線放射を前記空隙内へと透過させるように構成された第１反射防止膜及び第２反射防止膜、及び
前記第２反射防止膜と前記構造基板の第１面の上に夫々配置される第１反射膜及び第２反射膜であって、
前記構造基板の前記第１面は前記空隙に対面し、さらに
前記各反射膜は、赤外線放射を前記空隙内へと反射して空隙内で加熱された空気を生成するように構成された第１反射膜及び第２反射膜、を有することを特徴とする太陽光構造パネル。
【請求項１７】
複数ガラス窓を更に有することを特徴とする請求項１６に記載の太陽光構造パネル。
【請求項１８】
前記窓ガラスから離れる方向に、前記空隙から熱を選択的に換気するように構成された通気システムを更に有することを特徴とする請求項１６に記載の太陽光構造パネル。
【請求項１９】
請求項１２に記載の太陽光構造パネルを有するビルディング。
【請求項２０】
請求項１６に記載の太陽光構造パネルを有するビルディング。
【国際調査報告】
2015503074.tif 000014
2015503074.tif 000015
2015503074.tif 000016